(57)【要約】【課題】液滴ミストを主液滴と分離して回収するとともに液滴ミストが記録媒体に付着するのを確実に防止する。しかも、記録媒体がノズル面に接触するのを防止する。【解決手段】液滴噴出記録装置１のノズル面２に、スペーサ４を介して、ノズル面と左右の長さおよび前後の幅が略等しい仕切り板３をこのノズル面と平行に配置する。仕切り板の、ノズル面のノズル７と対向した位置にノズル７から噴出するインク等の液滴を通過させる通過孔８を設ける。液滴噴出記録装置の、記録媒体６の搬送方向下流側に向いた側面に、ノズル面と仕切り板とに挟まれた空間の空気を吸い込む吸引口１０を設け、ノズルの並びの方向と直交する方向に気流を発生させる吸引手段１１を取付ける。吸引手段にノズルからの液滴の噴出時に発生する液滴ミストを吸収するミスト吸収体１５を取付ける。【選択図】      図３
2007185878.tif 000002
【特許請求の範囲】
【請求項１】
液滴を噴出する複数のノズルを一方向に並べて配置したノズル面を有する液滴噴出記録装置に対し、ノズル面を覆うように所定の空隙を介してそのノズル面に平行に配置し、前記各ノズルから噴出する液滴を通過させる通過孔を設けた仕切り板と、
前記ノズル面と仕切り板とに挟まれた空間の空気を吸い込む吸引口を設け、ノズルの並びの方向と直交する方向に気流を発生させる吸引手段と、
この吸引手段により発生する気流の通過領域に設けられ、ノズルからの液滴の噴出に伴って発生する液滴ミストを吸収するミスト吸収体を備えたことを特徴とする液滴噴出記録装置のミスト除去装置。
【請求項２】
仕切り板は、通過孔におけるノズルの並びの方向と直交する方向の中心位置を、ノズルの中心位置よりも気流の流れる方向にずらしたことを特徴とする請求項１記載の液滴噴出記録装置のミスト除去装置。
【請求項３】
ノズル面と仕切り板とに挟まれた空間における、気流の上流側に気流を均一化するための流体抵抗体を配置したことを特徴とする請求項１又は２記載の液滴噴出記録装置のミスト除去装置。
【請求項４】
液滴を噴出する複数のノズルを一方向に並べて配置したノズル面を有する液滴噴出記録装置に対し、ノズルから噴出する液滴の通過経路を除いてノズル面の略半分を覆うように所定の空隙を介してそのノズル面に平行に配置した仕切り板と、
前記ノズル面と仕切り板とに挟まれた空間の空気を吸い込む吸引口を設け、ノズルの並びの方向と直交する方向に気流を発生させる吸引手段と、
この吸引手段により発生する気流の通過領域に設けられ、ノズルからの液滴の噴出に伴って発生する液滴ミストを吸収するミスト吸収体を備えたことを特徴とする液滴噴出記録装置のミスト除去装置。
【請求項５】
液滴噴出記録装置に対し記録媒体をノズルの並びの方向とは直交する方向に搬送し、この記録媒体の搬送方向の下流側に位置して吸引手段の吸引口を配置したことを特徴とする請求項１乃至４のいずれか１記載の液滴噴出記録装置のミスト除去装置。
【請求項６】
ノズル面と仕切り板とに挟まれた空間から吸引手段の吸引口への気流の通過領域を密閉構造に形成したことを特徴とする請求項１乃至５のいずれか１記載の液滴噴出記録装置のミスト除去装置。
【請求項７】
密閉構造における吸引手段の吸引口の下方に位置して液滴ミストを吸収保持するとともに保持した液滴ミストを外部からの吸引によって排出するミスト吸収保持体を配置したことを特徴とする請求項６記載の液滴噴出記録装置のミスト除去装置。
【発明の詳細な説明】
【技術分野】
【０００１】
本発明は、液滴噴出記録装置のノズルからの液滴の噴出に伴って発生する記録に不必要な液滴ミストを除去する液滴噴出記録装置のミスト除去装置に関する。
【背景技術】
【０００２】
液滴噴出記録装置のノズルから液滴を噴出して画像記録を行う場合、画像記録を行う主液滴に付随して、主液滴よりも微小な液滴ミストもノズルから放出される。液滴ミストはサテライトミストと呼ばれる比較的大きなミストから極微小なミストまで様々なサイズがある。これらはその発生原理上、主液滴にくらべて質量が小さいため直進性が悪く、主液滴の軌道から外れて紙等の記録媒体へと飛んでいく。また、速度が低いため、たとえ主液滴と同じ軌道を辿ったとしても、記録媒体上の着弾位置がずれてしまう。液滴ミストの中にはさらに質量が小さく、初速がほとんど０に近いものもあり、そういうものの中には、逆に液滴噴出記録装置側に戻ってきてノズル面に付着するものや、液滴噴出記録装置の内部に拡散していくものがある。
【０００３】
これらの液滴ミストの振る舞いは画像記録において様々な問題を引き起こす。これらの液滴ミストが記録媒体に付着した場合には、それらはノイズとなって画質を劣化させる。また、逆に液滴ミストが液滴噴出記録装置側に戻ってきてノズル面に付着したり、さらに固化したりすると、吐出不良を起こす場合があるので、ノズル面のクリーニングが必要となる。さらにまた、液滴ミストが液滴噴出記録装置の可動機構部、例えばプラテン等に付着した場合には、記録媒体の搬送が不安定になり、記録媒体の斜行、ジャム等の支障を引き起こす要因となる。また、軸受け、歯車等に付着した場合には、摩擦の増大により、それらの動作が阻害され、画像記録に支障をきたす。また、電気／電子部品への付着により、ショートなどの電気的トラブルが起きるおそれがある。このため、画像記録を行う主液滴に付随して発生する液滴ミストを除去する必要がある。
【０００４】
これを、液滴を噴出する複数のノズルを一方向に並べて配置したノズル面を有する液滴噴出記録装置に対して実現したものとして、ファン等で液滴噴出記録装置のノズル面と記録媒体との間に、ノズルの配列方向と直交する方向に気流を発生させ、気流とともに液滴ミストを吸引して回収するものが知られている（例えば、特許文献１、特許文献２参照）。
【特許文献１】特開２００４−３０６２７０号公報
【特許文献２】特開２００４−２０２８０３号公報
【発明の開示】
【発明が解決しようとする課題】
【０００５】
しかしながら、このように液滴噴出記録装置のノズル面と記録媒体との間に気流を発生させて液滴ミストを吸引回収するものではノズル面と記録媒体が直接対面しており、このため、ノズル面と記録媒体に挟まれた空間に液滴ミストが存在することになり、これらの液滴ミストが記録媒体に付着する問題があった。特に、サテライトミスト等比較的質量大きい液滴ミストが記録媒体に付着すると画質を劣化し、また、記録面を汚す等の問題があった。
【０００６】
そこで本発明は、液滴ミストを画像記録に使用する主液滴と分離して回収できるとともに液滴ミストが記録媒体に付着するのを確実に防止でき、しかも、記録媒体が変形してノズル面に接触するのを防止できる液滴噴出記録装置のミスト除去装置を提供する。
【課題を解決するための手段】
【０００７】
本発明は、液滴を噴出する複数のノズルを一方向に並べて配置したノズル面を有する液滴噴出記録装置に対し、ノズル面を覆うように所定の空隙を介してそのノズル面に平行に配置し、各ノズルから噴出する液滴を通過させる通過孔を設けた仕切り板と、ノズル面と仕切り板とに挟まれた空間の空気を吸い込む吸引口を設け、ノズルの並びの方向と直交する方向に気流を発生させる吸引手段と、この吸引手段により発生する気流の通過領域に設けられ、ノズルからの液滴の噴出に伴って発生する液滴ミストを吸収するミスト吸収体を備えた液滴噴出記録装置のミスト除去装置にある。
【発明の効果】
【０００８】
本発明によれば、液滴ミストを画像記録に使用する主液滴と分離して回収できるとともに液滴ミストが記録媒体に付着するのを確実に防止できる。しかも、記録媒体が変形してノズル面に接触するのを防止でき、これにより、ノズル面が損傷するのを防止できる。
【発明を実施するための最良の形態】
【０００９】
以下、本発明の実施の形態を、図面を参照して説明する。  
（第１の実施の形態）
図１および図２において、１は液滴を噴出する複数のノズルを一方向（図１の左右方向）に並べて配置したノズル面２を有する液滴噴出記録装置である。
【００１０】
前記液滴噴出記録装置１のノズル面２に、このノズル面２を覆うように仕切り板３をこのノズル面２と平行に配置している。すなわち、前記仕切り板３は、前記ノズル面２と左右の長さおよび前後の幅が略等しく、左右にスペーサ４を介すことによってノズル面２とは所定の間隙を開けて平行に配置している。
【００１１】
前記液滴噴出記録装置１は、ノズル面２を、前記仕切り板３を間に介して紙等の記録媒体６に対向配置することになる。前記仕切り板３は、図３に示すように、ノズル面２の各ノズル７と対向した位置にノズル７から噴出するインク等の液滴を通過させる通過孔８を設けている。通過孔８の形状としては、円形、正方形、楕円、長方形など様々な形状であってよい。
【００１２】
前記記録媒体６は、図２に矢印Ａで示す方向に搬送されるようになっている。前記液滴噴出記録装置１の、記録媒体６の搬送方向下流側に向いた側面に、ノズル面２と仕切り板３とに挟まれた空間の空気を吸い込む吸引口１０を設け、ノズル７の並びの方向と直交する方向に気流を発生させる吸引手段１１を取付けている。前記吸引口１０は、ノズル面２に隣接してこのノズル面２と同じ高さで配置している。そして、ノズル面２の左右の長さと略等しい長さで、かつ、前後の幅は狭く形成され、前記記録媒体６に対面している。
【００１３】
前記吸引手段１１は、一端を前記吸引口１０とした吸引管１２と、この吸引管１２の他端に取付けたフィルタ１３と、前記吸引口１０から空気を吸い込みフィルタ１３を経由して外部に放出させるファンモータ１４によって構成されている。前記吸引管１２は途中から前後の幅を大きく形成し、その形状のまま他端へ延出している。前記吸引管１２の吸引口１０と連通する内壁にミスト吸収体１５を取付けている。
【００１４】
このような構成においては、吸引手段１１のファンモータ１４が回転動作すると、吸引口１０から空気が吸い込まれフィルタ１３を経由して外部に放出される。これにより、図３に矢印Ｂで示すようにノズル面２と仕切り板３とに挟まれた空間から吸引口１０を経由して気流が発生する。
【００１５】
この状態で、液滴噴出記録装置１が例えばインク液１６をノズル７から噴出すると、噴出された主液滴１７は気流の影響をそれほど受けずに通過孔８を通過する。そして、記録媒体６上に着弾する。こうして、主液滴１７による画像記録が行われる。ノズル７からの液滴の噴出時において、主液滴１７の後方には小さい液滴ミスト１８ａや大きい液滴ミスト１８ｂが発生する。液滴ミスト１８ａ，１８ｂは主液滴１７に比べて質量が小さく、速度も低いので、気流（矢印Ｂ）によって流される。
【００１６】
そこで気流の強さを適当に調節すると、図３および図４に示すように、主液滴１７は気流の影響をほとんど受けずに通過孔８を通り抜けて記録媒体６に着弾するのに対し、液滴ミスト１８ａ，１８ｂは気流に乗って流されるようになる。すなわち、小さい液滴ミスト１８ａは気流に乗ってノズル面２と仕切り板３とに挟まれた空間内を移動し、吸引口１０から吸引管１２内のミスト吸収体１５へ衝突して吸収される。なお、ミスト吸収体１５で吸収されなかった液滴ミスト１８ａはさらに上昇しフィルタ１３により吸収される。こうして、発生した液滴ミスト１８ａは確実に吸収され、装置外部へ飛散することはない。
【００１７】
また、サテライトミストなどの大きい液滴ミスト１８ｂは、小さい液滴ミスト１８ａのように気流に乗って大きく移動するということはないがある程度流されるので、通過孔８を通過することはなく、仕切り板３上に衝突するようになる。気流の強さによっては、小さい液滴ミスト１８aと同様に乗って流され吸引口１０へと吸い込まれることもある。
【００１８】
こうして、ノズル７からの液滴の噴出に伴って発生する液滴ミスト１８ａ，１８ｂは、吸引手段１１のミスト吸収体１５やフィルタ１３によって吸収されるか、仕切り板３上に衝突して付着する。従って、液滴ミスト１８ａ，１８ｂは、ノズル面２と仕切り板３に挟まれた空間内のみに存在し、仕切り板３と記録媒体６に挟まれた空間には存在しない。すなわち、記録媒体６に液滴ミスト１８ａ，１８ｂが付着するのを確実に防止できる。従って、液滴ミストによる画質劣化を防止できる。
【００１９】
また、記録媒体６が波うち状態になったり、記録媒体６がジャム状態になったりして、記録媒体６が液滴噴出装置１に接触しても、仕切り板３がノズル面２を保護しているので、記録媒体６が直接ノズル面２と接触することは無い。従って、ノズル面２が記録媒体６によって損傷を受けるおそれはない。
【００２０】
なお、この実施の形態では、仕切り板３に対してノズル面２の各ノズル７と対向した位置に通過孔８を設けたものについて述べたがこれに限定するものではない。複数のノズル、例えば、３つのノズル毎に１つの長孔形状の通過孔を対向して設けてもよい。また、ノズル面２の全てのノズルに１つの長孔形状の通過孔を対向して設けてもよい。
【００２１】
また、この実施の形態では、仕切り板３の大きさを、ノズル面２の大きさに略合わせたものについて述べたがこれに限定するものではない。  
例えば、図５の(a)に示すように、ノズル面２を充分に覆い、また、吸引手段１１の吸引口１０も充分に覆うように前後の幅を大きくした仕切り板３１を設けてもよい。このようにすれば、吸引口１０の吸引力がノズル面２と仕切り板３１に挟まれた空間に作用しやすくなるので、ファンモータ１４の出力を下げても液滴ミスト１８ａ，１８ｂを充分に吸収することができる。また、図５の(b)に示すように、さらに、前後の端部を上に折り曲げた形状の仕切り板３２を設けてもよい。  
また、図５の(c)に示すように、ノズル面２と吸引口１０を覆う幅に合わせた幅の仕切り板３３を、この仕切り板３３と同じ幅のスペーサ４１を介して配置したものであってもよい。
【００２２】
なお、この実施の形態では、吸引口１０をノズル面２に隣接してこのノズル面２と同じ高さで配置したものについて述べたがこれに限定するものではない。図５の(d)に示すように、吸引口１０を液滴噴出装置１のノズル面２から多少離し、かつ、吸引口１０の高さをノズル面２よりも若干高くする形状の吸引手段１１１を使用してもよい。
【００２３】
また、図６に示すように、ノズル面２および吸引手段の吸引口１０を略覆うように前後の幅を大きくした仕切り板３４を設けるとともに、吸引手段として、後端側の側壁が仕切り板３４の位置まで延出した吸引手段１１２を設けてもよい。そして、側壁の内側に取付けたミスト吸収体１５を側壁の延出に合わせて下方位置まで延出させている。
【００２４】
このようにすれば、吸引口１０の吸引力がノズル面２と仕切り板３１に挟まれた空間に効率良く作用するので、ファンモータ１４の出力を下げても液滴ミスト１８ａ，１８ｂを充分に吸収することができる。また、液滴噴出装置１を図中矢印Ｃで示す方向に走査した場合に外部から気流Ｄが侵入するのを防止することができる。これにより、吸引手段１１２によって発生する液滴ミスト１８ａ，１８ｂを吸引するための気流が影響を受けることはない。
【００２５】
また、図７に示すように、吸引手段として、吸引管１２の他端側を液滴噴出装置１と反対側に折り曲げ、この他端にフィルタ１３を取付け、さらに、フィルタ１３を介してファンモータ１４を取付けた吸引手段１１３を使用したものであってもよい。  
また、図８に示すように、ノズル面２および吸引手段１１の吸引口１０を丁度覆うように前後の幅を大きくした仕切り板３３を配置するとともに、ミスト吸収体１５の代わりに吸引口１０に対向した仕切り板３３の上にミスト吸収体１５１を取付けてもよい。この場合は吸引手段１１の吸引管１２内に付着した液滴ミストが垂れてきた場合にミスト吸収体１５１で吸収することができる。
【００２６】
また、前述した実施の形態はノズル面２の各ノズル７と対向した位置に仕切り板３の通過孔８を設けたものについて述べたが、図９に示すように、ノズル７の中心位置Ｅよりも図中矢印Ｂで示す気流の流れる方向に、通過孔８におけるノズル７の並びの方向と直交する方向の中心位置Ｆを気流の強さに応じてずらしてもよい。
【００２７】
すなわち、液滴ミスト１８ａ，１８ｂと比べれば、主液滴１７は気流の影響をそれほど受けないが、全くゼロではなく、気流の強さによっては無視できなくなる。気流が強く主液滴１７が流されることがあると、仕切り板３に接触あるいは衝突し、画像形成に支障をきたすおそれがある。そこで、ノズル７の中心位置Ｅと通過孔８の中心位置Ｆを気流の強さに応じて気流の流れる方向にずらすことで主液滴１７を常に通過孔８の中心を通過させることができ、記録媒体６への主液滴１７の確実な着弾ができる。
【００２８】
（第２の実施の形態）
なお、前述した実施の形態と同一の部分には同一の符号を付し詳細な説明は省略する。  
図１０に示すように、ノズル面２および吸引手段１１の吸引口１０を丁度覆う前後幅を持った仕切り板３３を、この仕切り板３３の幅と同じ長さのスペーサ４１（もう一方は図示せず）を間に挟んで前記ノズル面２および吸引手段１１の吸引口１０に対向配置している。そして、吸引手段１１、仕切り板３３およびスペーサ４１によって筒状に形成された開口部１９を封止部材２０によって閉塞している。
【００２９】
このように、ノズル面２および吸引口１０と仕切り板３３に挟まれた空間は、吸引手段１１によって発生する気流（矢印Ｂ）の通路となるが、その空間の下流側の端部が密閉されているので、液滴噴出装置１の走査により発生する気流や記録媒体６の搬送に伴って生成される気流やその他諸々の外乱によって、空間内の気流が影響されることはない。
【００３０】
従って、空間内には非常に安定した気流Ｂが生成され、液滴ミスト１８ａ，１８ｂの除去も安定する。また、吸引口１０の吸引力がノズル面２と仕切り板３に挟まれた空間にそのまま作用するので、効率がよく、より小さな吸引力で液滴ミスト１８ａ，１８ｂの吸収など除去ができ、従って、ファンモータ１４の消費電力を軽減できる。
【００３１】
なお、この実施の形態では、封止部材２０を使用して吸引手段１１、仕切り板３３およびスペーサ４１によって筒状に形成された開口部１９の閉塞を行ったがこれに限定するものではなく、例えば、図１１に示すように、吸引手段を変形して閉塞してもよい。すなわち、吸引手段として、後端側の側壁が仕切り板３３の端部位置まで延出した吸引手段１１２を使用し、この側壁によって開口部１９を閉塞する。
【００３２】
また、この実施の形態において、図１２に示すように、ノズル面２における吸引手段１１を配置した側とは反対側の端部に延長部材２１を取付けるとともに仕切り板およびスペーサとしてその延長部材２１の端まで延出した長さの仕切り板３５およびスペーサ４２を使用し、前記延長部材２１、仕切り板３５およびスペーサ４２によって形成された空気流入口２２の内部に、空間内および吸引手段１１の吸引管１２内に流れる気流を均一化する、例えばエアーフィルタ等の流体抵抗体２３を設けてもよい。
【００３３】
このように、空気流入口２２に流体抵抗体２３を設けることで、さらに安定した気流を発生させることができる。従って、ノズル７の位置の違いによる気流の強さのばらつきがなくなり、主液滴１７の記録媒体６への着弾位置精度を向上できる。また、空気流入口２２からの空気の流入が抑制されるので、逆に通過孔８からノズル面２と仕切り板３５に挟まれた空間内への空気の流入が強められることになり、結果として液滴ミスト１８ａ，１８ｂが通過孔８を通過するのを、さらに確実に防止できる。
【００３４】
また、流体抵抗２３を設けることで空気流入口２２から紙粉等の粉塵が入り込んでノズル面２に付着することはない。また、通過孔８から空気と共に紙粉等の粉塵が入り込んでもその粉塵は気流によって吸引口１０から吸引手段１１内へ流れるので、ノズル面２に付着することはない。従って、粉塵がノズル７を塞ぐなどして誤吐出や不吐出が発生するのを確実に防止できる。
【００３５】
（第３の実施の形態）
なお、前述した実施の形態と同一の部分には同一の符号を付し詳細な説明は省略する。  
図１３に示すように、ノズル面２における吸引手段１１を配置した側とは反対側の端部に延長部材２１を取付けるとともに仕切り板およびスペーサとしてその延長部材２１の端まで延出した長さの仕切り板３６およびスペーサ４２を配置している。
【００３６】
そして、吸引手段１１、仕切り板３６およびスペーサ４２によって筒状に形成された開口部を封止部材２０によって閉塞している。また、前記延長部材２１、仕切り板３６およびスペーサ４２によって形成された空気流入口２２の内部に、空間内および吸引手段１１の吸引管１２内に流れる気流（矢印Ｂ）を均一化する、例えばエアーフィルタ等の流体抵抗体２３を設けている。
【００３７】
前記仕切り板３６は、前記吸引手段１１の吸引口１０の下方に位置して、液滴ミストによって発生したミスト液を吸収保持するとともにこの保持したミスト液を外部からの吸引によって排出する多孔質体からなるミスト吸収保持体２４を配置している。
【００３８】
このような構成においては、ノズル７からの液滴の噴出に伴って発生する液滴ミスト１８ａ，１８ｂは、吸引手段１１のミスト吸収体１５によって吸収されるか、ミスト吸収保持体２４によって直接吸収されるか、仕切り板３上に衝突して付着されるかする。そして、長時間にわたって液滴噴出記録装置１が動作することで吸引手段１１のミスト吸収体１５に蓄積するミスト液の量は多くなり、やがてはミスト吸収体１５からミスト液がミスト吸収保持体２４の上に垂れるようになる。また、仕切り板３上に付着したミスト液も量が多くなると空間内を流れる気流によって流れミスト吸収保持体２４に吸収される。こうして、液滴噴出記録装置１の長時間の使用により、ミスト吸収保持体２４に吸収されるミスト液の量は増加する。
【００３９】
そこで、液滴噴出記録装置１が記録動作を終了してホームポジションに戻ったときや定期的にメンテナンス位置に移動したときに、下方位置に待機させていた液体吸引管２５を上方へ移動させて液体吸引管２５の液体吸引口２６を、ミスト吸収保持体２４を覆うように仕切り板３に密着させる。この状態で、吸引ポンプ等の吸引手段（図示せず）を動作して液体吸引管２５の内部気圧を減圧し、ミスト吸収保持体２４に保持されているミスト液を液体吸引口２６から吸引する。こうして、ミスト吸収保持体２４に保持されているミスト液を定期的に吸い取ることができる。
【００４０】
このようにノズル面２と仕切り板３６に挟まれた空間から吸引口１０にかけての気流の通り道を封止部材２０によって密閉した場合、密閉された空間の内部と外部を連絡するようにミスト吸収保持体２４を配置することにより、ミスト液の回収によってミスト吸収保持体２４に蓄積されたミスト液を外部から直接回収することができる。従って、チューブ等のミスト液回収のための部品や特別な機構を必要とせず、簡単にミスト液を回収することができる。  
なお、仕切り板にミスト吸収保持体２４を配置する構成は、図１０および図１１の構成においても適用できるものである。
【００４１】
（第４の実施の形態）
なお、前述した実施の形態と同一の部分には同一の符号を付し詳細な説明は省略する。  
図１４に示すように、液滴噴出記録装置１のノズル面２に対し、ノズル７から噴出する主液滴１７が通過できるように主液滴１７の通過経路から若干外れた位置からノズル面２の端までのノズル面２の略半分を覆うように、スペーサ４３により所定の間隙を開けてノズル面２と平行に仕切り板３７を配置している。
【００４２】
前記液滴噴出記録装置１の、記録媒体６の搬送方向下流側に向いた側面に、ノズル面２と仕切り板３７とに挟まれた空間の空気を吸い込む吸引口１０を設け、ノズル７の並びの方向と直交する方向に気流（矢印Ｂ）を発生させる吸引手段１１を取付けている。前記吸引手段１１は吸引管１２内にミスト吸収体１５を取付けている。
【００４３】
このような構成においては、液滴噴出装置１のノズル７から噴出された主液滴１７は仕切り板３７の先端近傍を通過して記録媒体６に着弾する。一方、吸引手段１１の動作によってノズル面２と仕切り板３７との間に気流を発生させることで、図１５に示すように、質量の小さい液滴ミスト１８ａは気流に乗って吸引手段１１の吸引口１０から吸引管１２内へと導かれ、ミスト吸収体１５やフィルタで吸収される。また質量の比較的大きな液滴ミスト１８ｂは仕切り板３７上に衝突し付着する。
【００４４】
従って、液滴ミスト１８ａ，１８ｂはノズル面２と仕切り板３７との間の空間のみに存在し、仕切り板３７と記録媒体６との間の空間には存在しないので、記録媒体６に液滴ミスト１８ａ，１８ｂが付着することはなく、液滴ミストによる画質の劣化を防止できる。また、仕切り板３７に主液滴１７を通すための通過口を設ける必要は無く、仕切り板の構成を簡単にできる。また、仕切り板３７の前後方向の幅を短くできる。
【００４５】
また、記録媒体６が波うち状態になったり、記録媒体６がジャム状態になったりして、記録媒体６が液滴噴出装置１に接触しても、仕切り板３７がノズル面２を保護できるので、記録媒体６が直接ノズル面２と接触することはほとんど無い。従って、ノズル面２が記録媒体６によって損傷を受けるおそれはない。
【００４６】
なお、この実施の形態においては、仕切り板３７の前後の幅を、主液滴１７の通過経路から若干外れた位置からノズル面２の端までのノズル面２の略半分を覆う幅としたがこれに限定するものではない。例えば、図１６の(a)に示すように、ノズル面２の端から更に延出させて吸引口１０も充分にカバーできるように延出した仕切り板３８を配置してもよい。また、図１６の(b)に示すように、ノズル面２の端から更に延出させて吸引口１０も充分にカバーできるように延出し、さらに上方へ曲折した形状の仕切り板３９を配置してもよい。この場合、スペーサの長さも仕切り板３８，３９の幅に合わせて長くしてもよい。
【図面の簡単な説明】
【００４７】
【図１】本発明の第１の実施の形態に係る液滴噴出記録装置およびミスト除去装置の構成を示す正面図。
【図２】同実施の形態におけるミスト除去装置の内部構成を示す側面断面図。
【図３】同実施の形態における液滴噴出記録装置およびミスト除去装置の要部構成を示す部分拡大断面図。
【図４】同実施の形態における液滴噴出時の主液滴、液滴ミストの動きを説明するための図。
【図５】同実施の形態における仕切り板の変形例および吸引手段の変形例を示す断面図。
【図６】同実施の形態における吸引手段の変形例を示す部分拡大断面図。
【図７】同実施の形態における吸引手段の変形例を示す断面図。
【図８】同実施の形態におけるミスト吸収体配置の変形例を示す部分拡大断面図。
【図９】同実施の形態における仕切り板における通過孔の配置位置の変形例を示す部分拡大断面図。
【図１０】本発明の第２の実施の形態に係る液滴噴出記録装置およびミスト除去装置の構成を示す部分拡大断面図。
【図１１】同実施の形態におけるミスト除去装置の変形例を示す部分拡大断面図。
【図１２】同実施の形態におけるミスト除去装置の変形例を示す部分拡大断面図。
【図１３】本発明の第３の実施の形態に係る液滴噴出記録装置およびミスト除去装置の構成を示す部分拡大断面図。
【図１４】本発明の第４の実施の形態に係る液滴噴出記録装置およびミスト除去装置の構成を示す部分拡大断面図。
【図１５】同実施の形態における液滴噴出時の主液滴、液滴ミストの動きを説明するための図。
【図１６】同実施の形態における仕切り板の変形例を示す断面図。
【符号の説明】
【００４８】
１…液滴噴出記録装置、２…ノズル面、３…仕切り板、７…ノズル、８…通過孔、１０…吸込口、１１…吸引手段、１４…ファンモータ、１５…ミスト吸収体、１７…主液滴、１８ａ，１８ｂ…液滴ミスト。
【図１】
2007185878.tif 000003
【図２】
2007185878.tif 000004
【図３】
2007185878.tif 000005
【図４】
2007185878.tif 000006
【図５】
2007185878.tif 000007
【図６】
2007185878.tif 000008
【図７】
2007185878.tif 000009
【図８】
2007185878.tif 000010
【図９】
2007185878.tif 000011
【図１０】
2007185878.tif 000012
【図１１】
2007185878.tif 000013
【図１２】
2007185878.tif 000014
【図１３】
2007185878.tif 000015
【図１４】
2007185878.tif 000016
【図１５】
2007185878.tif 000017
【図１６】
2007185878.tif 000018